(57)【特許請求の範囲】
【請求項１】
給湯器から供給された温水を通過させる給湯路と、前記給湯路終端に連通して付設されると共に該給湯路を介して供給された温水を貯留するヘッダー室と、前記ヘッダー室に連通して設けられ、その内部に貯留された温水をミストシャワーとして外部前方に噴出させるミストノズルとからなるミストヘッドにおいて、
３個以上のミストノズルが、ヘッダー室前壁にその周縁に沿って前方に外拡がりに且つ互に先拡がりに配置されると共に、各ミストノズルが、ヘッダー室から供給された温水を通過させる第二給湯路と、前記第二給湯路終端に連通して付設されると共に該第二給湯路を介して供給された温水を貯留する第二ヘッダー室と、前記第二ヘッダー室前壁に穿設されると共にその内部に貯留された温水をミストシャワーとして噴出させる複数のミスト噴出孔とからなり、且つ
ヘッダー室前壁における３個以上のミストノズルで囲まれた位置に気体ノズルが外部前方への気体シャワーの噴出可能に設けられたことを特徴とするミストヘッド。
【請求項２】
３個以上のミストノズルが、ヘッダー室前壁に仮想上の円周に沿って互いに等間隔で配置された請求項１に記載のミストヘッド。
【請求項３】
給湯路からヘッダー室に至る任意の位置における温水中に添加剤が混入された請求項１又は２に記載のミストヘッド。
【発明の詳細な説明】
【技術分野】
【０００１】
本発明は、浴室等において、比較的小規模の給湯器から供給された温水からも容易にミストシャワーを発生させるためのミストヘッドに関する。
【背景技術】
【０００２】
浴室等においてミストシャワーを浴びることにより発汗を促し、或いは逆に身体を優しく冷却する等して、健康効果や美容効果を得ることが知られている。
【０００３】
前記ミストシャワーを発生させるミストヘッドは、通常、給湯器から供給された温水を通過させる給湯路と、前記給湯路終端に連通して付設されると共に該給湯路を介して供給された温水を貯留するヘッダー室と、前記ヘッダー室に連通して設けられ、その内部に貯留された温水をミストシャワーとして外部前方に噴出させるミストノズルとから構成されている（特許文献１及び２）。また、前記ミストシャワーに酸素を供給するようにしたミストヘッドも提案されている（特許文献２）。
【０００４】
しかしながら、従来の前記ミストヘッドは、ミストシャワーを発生させるために温水を加圧する圧力ポンプや高い位置の温水貯留タワーを要するものであり、家庭用の小規模ガス給湯器から手軽且つ安定的にミストシャワーを得ることは困難であった。即ち、家庭用の小規模給湯器では、通常、適量のミストシャワーを得るべく流量を絞ると給湯が不安定になる等の問題を発生する。
【特許文献１】特開２００２−５８６０９号公報
【特許文献２】特開２００４−２４３０６５号公報
【発明の開示】
【発明が解決しようとする課題】
【０００５】
本発明の解決すべき課題は、家庭用の小規模給湯器からも手軽且つ安定的に良好なミストシャワーを得ることができるミストヘッドを提供することにある。
【課題を解決するための手段】
【０００６】
請求項１に記載の発明に係るミストヘッドは、給湯器から供給された温水を通過させる給湯路と、前記給湯路終端に連通して付設されると共に該給湯路を介して供給された温水を貯留するヘッダー室と、前記ヘッダー室に連通して設けられ、その内部に貯留された温水をミストシャワーとして外部前方に噴出させるミストノズルとからなるミストヘッドにおいて、
３個以上のミストノズルが、ヘッダー室前壁にその周縁に沿って前方に外拡がりに且つ互に先拡がりに配置されると共に、各ミストノズルが、ヘッダー室から供給された温水を通過させる第二給湯路と、前記第二給湯路終端に連通して付設されると共に該第二給湯路を介して供給された温水を貯留する第二ヘッダー室と、前記第二ヘッダー室前壁に穿設されると共にその内部に貯留された温水をミストシャワーとして噴出させる複数のミスト噴出孔とからなり、且つ
ヘッダー室前壁における３個以上のミストノズルで囲まれた位置に気体ノズルが外部前方への気体シャワーの噴出可能に設けられたことを特徴としている。
【０００７】
前記構成において、給湯器から供給された温水は、給湯路を通過してヘッダー室に貯留されると共に３個以上のミストノズルに分配される。各ミストノズルに分配された温水は、第二給湯路を通過して第二ヘッダー室に貯留されると共に複数のミスト噴出孔からミストシャワーとなって噴出される。
【０００８】
前記構成では、３個以上のミストノズルが、ヘッダー室前壁にその周縁に沿って前方に外拡がりに且つ互に先拡がりに配置されているので、各ミストノズルのミスト噴出孔から噴出したミストシャワーが該ミストノズルに隣接する他のミストノズルやその他のミストノズルのミスト噴出孔から噴出したミストシャワーと直接的に交差、衝突し難く、従ってミストシャワー間の交差、衝突による水滴化が生じ難い。また、前記構成では、給湯器から供給された温水が、給湯路及びヘッダー室を介して３個以上のミストノズルに分配されると共に、各ミストノズルに分配された温水が、第二給湯路及び第二ヘッダー室を介して複数のミスト噴出孔にさらに分配されるので、適量のミストシャワーを得るための流量の調節が容易である。
【０００９】
さらに、前記ミストヘッドでは、ヘッダー室前壁における３個以上のミストノズルで囲まれた位置に気体ノズルが外部前方への気体シャワーの噴出可能に設けられている。このような３個以上のミストノズルで囲まれた位置における気体ノズルの配置により、気体ノズルから噴出させた気体シャワーを、周辺に無用に分散させずにミストシャワーのカーテンで囲繞された状態で、ミストシャワー浴下に効果的な気体シャワー浴に供することができる。前記気体ノズルへの気体の供給については、例えば携帯用気体ボンベ若しくは設置された気体ボンベ、又はファン、ポンプ等の気体供給源からの供給管をミストヘッドの給湯路内部に又はそれに沿って温水とは混合されないように配管し、ヘッダー室の気体ノズル基部に連結してもよい。前記気体としては、例えば酸素、香りやイオン等を含む空気、或いは温風や冷風等が必要に応じて選択される。
【００１０】
請求項２に記載の発明に係るミストヘッドは、請求項１に係る発明において、３個以上のミストノズルが、ヘッダー室前壁に仮想上の円周に沿って互いに等間隔で配置されたものである。このような３個以上のミストノズルの均等配置により、各ミストノズルからより安定し且つより均質なミストシャワーの噴出が可能になる。
【００１１】
請求項３に記載の発明に係るミストヘッドは、請求項１又は２に係る発明において、給湯路からヘッダー室に至る任意の位置における温水中に、香料、着色剤、抗菌剤、栄養剤、塩素除去剤その他の添加剤が混入されたものである。このような添加剤の温水中への混入により、該添加剤を含み或いは該添加剤により改質されたミストシャワーがミストノズルから噴出されることになる。前記添加剤の混入方法として、例えば、該添加剤を液体、気体又は粉体として外部から給湯路やヘッダー室内に圧入や吸入等により供給し、或いは前記添加剤を温水との接触により漸次溶出可能に保持させたカートリッジ等の保持部材を温水の流通可能に給湯路やヘッダー室内に配置してもよい。
【発明の効果】
【００１２】
本発明の請求項１に係る発明によれば、給水水圧が低く給湯量が少ない家庭用の小規模給湯器からも手軽且つ安定的に良好なミストシャワーを得ることができるミストヘッドを提供することができる。さらに、前記発明によれば、気体ノズルから噴出させた酸素その他の気体シャワーを、周辺に無用に分散させずにミストシャワーのカーテンで囲繞された状態で、ミストシャワー浴下に効果的な気体シャワー浴に供することができる。
【００１３】
本発明の請求項２に係る発明によれば、各ミストノズルからより安定し且つより均質なミストシャワーの噴出が得られる。また、本発明の請求項３に係る発明によれば、香料その他の所要添加剤を含み或いは該添加剤により改質されたミストシャワーを得ることができる。
【発明を実施するための最良の形態】
【００１４】
図１は本発明の実施例に係るミストヘッドの断面図、図２は図１に示すミストヘッドにおける壁蓋部分の正面図である。
【００１５】
同図に示すミストヘッドＭＨにおいて、中間部に把持部が形成されると共に内側に幾分湾曲したミストヘッド本体１の基部に給湯口２が設けられると共にその遠端部には温水ＨＷを貯留するヘッダー室３が設けられている。また、ミストヘッド本体１における前記給湯口２とヘッダー室３との間には、給湯口２に供給された温水ＨＷを通過させてヘッダー室３に供給する給湯路４が設けられている。なお、前記給湯器Ａからの温水ＨＷは、該給湯器Ａから高位置に設けた温水貯留槽（図示省略）を介してミストヘッド本体１の給湯口２に供給されても差し支えない。
【００１６】
前記ヘッダー室３の内壁には開口部５の中央方向に筒状基台６が突設されると共に該筒状基台６の底部に雌ねじ７が切られ、前記開口部５には壁蓋８が設けられている。
【００１７】
前記壁蓋８には、８個のミストノズル１１が該壁蓋８の周縁における仮想上の円周に沿って前方に外拡がりに且つ互に先拡がりに互いに等間隔で埋設配置され、さらに気体ノズル２１が前記壁蓋８の中央に埋設配置されている。なお、前記のミストノズル１１及び気体ノズル２１は、壁蓋８に埋設される代わりに壁蓋８から少なくとも一部外部に突設されても差し支えない。
【００１８】
前記の各ミストノズル１１は、ヘッダー室３から供給された温水ＨＷを通過させる第二給湯路１２と、前記第二給湯路１２終端に連通して付設されると共に該第二給湯路１２を介して供給された温水ＨＷを貯留する第二ヘッダー室１３と、前記第二ヘッダー室１３の前壁１４に穿設された３個のミスト噴出孔１５とから構成されている。また、前記気体ノズル２１には、その前壁２２周囲に気体噴出口２３が穿設されると共にその前壁２２中央にねじ孔２４が穿設されている。
【００１９】
前記壁蓋８は、止めねじ１０を気体ノズル２１中央のねじ孔２４から筒状基台６の内部空洞９を通って雌ねじ７に螺合することにより、ヘッダー室３の開口部５にそれをシール状態で閉鎖するように固定されている。前記壁蓋８による開口部５の閉鎖状態において、該壁蓋８裏面とヘッダー室３の周縁部及び筒状基台６端縁部とは各々封止され、ヘッダー室３は各ミストノズル１１の第二給湯路１２と連通し、また気体ノズル２１の気体噴出口２３は筒状基台６の内部空洞９と連通した状態にある。
【００２０】
一方、外部にある給湯器Ａに接続されたホース３１が、ミストヘッド本体１の給湯口２に連結され、それによって給湯器Ａからの温水ＨＷがミストヘッド本体１の給湯路４に導入される。また、外部にある気体供給源としての酸素ボンベＢに接続された供給管３２が、ミストヘッド本体１の側壁から給湯路４内部に配管されると共に筒状基台６の内部空洞９に連結され、それによって酸素ボンベＢからの酸素ガスが気体ノズル２１に導入される。さらに、ミストヘッド本体１の給湯路４における給湯口２下流に添加剤カートリッジ３３が温水の流通可能にシール状態で螺合により装着され、該添加剤カートリッジ３３内には香料その他の種々の添加剤３４が温水との接触により溶出可能に収容され、この添加剤カートリッジ３３は必要に応じて装着されることになる。また、ミストヘッド本体１の側壁には、香料その他の種々の添加剤３４を温水中に直接混入するための添加剤供給口３５がシール状態で栓３６により密閉可能に穿設され、この添加剤供給口３５も必要に応じて使用される。
【００２１】
前記構成のミストヘッドＭＨにおいて、給湯器Ａから給湯口２に供給された温水ＨＷは、給湯路４を通過して添加剤カートリッジ３３内の添加剤３４を溶出させつつヘッダー室３に貯留されると共に８個のミストノズル１１に分配される。また、必要に応じて、前記のような添加剤カートリッジ３３による添加剤３４の混入に代えて、或いはそれと共に、添加剤供給口３５から香料その他の種々の添加剤３４が直接温水中に供給される。各ミストノズル１１に分配された温水ＨＷは、第二給湯路１２を通過して第二ヘッダー室１３に貯留されると共に３個のミスト噴出孔１５から、前記添加剤３４を含み或いは該添加剤により改質されたミストシャワーＭＳとなって噴出される。
【００２２】
また、酸素ボンベＢから供給管３２を介して筒状基台６の内部空洞９に供給された酸素ガスは、気体ノズル２１の気体噴出口２３から酸素シャワーＯＳとなって噴出される。その際、気体噴出口２３から噴出する酸素シャワーＯＳは、前記８個のミストノズル１１から噴出するミストシャワーＭＳのカーテンで囲繞された状態で、ミストシャワー浴下に気体シャワー浴に供されることになる。なお、酸素を供給する前記酸素ボンベＢに代えて、香りやイオン等を含む空気、或いは温風や冷風等を供給する気体供給源を選択することもできる。
【図面の簡単な説明】
【００２３】
【図１】本発明の実施例に係るミストヘッドの断面図である。
【図２】図１に示すミストヘッドにおける壁蓋部分の正面図である。
【符号の説明】
【００２４】
Ａ  給湯器
Ｂ  酸素ボンベ
ＭＨ  ミストヘッド
ＨＷ  温水
ＭＳ  ミストシャワー
ＯＳ  酸素シャワー
１  ミストヘッド本体
２  給湯口
３  ヘッダー室
４  給湯路
５  開口部
６  筒状基台
７  雌ねじ
８  壁蓋
９  内部空洞
１０  止めねじ
１１  ミストノズル
１２  第二給湯路
１３  第二ヘッダー室
１４  前壁
１５  ミスト噴出孔
２１  気体ノズル
２２  前壁
２３  気体噴出口
２４  ねじ孔
３１  ホース
３２  供給管
３３  添加剤カートリッジ
３４  添加剤
３５  添加剤供給口
３６  栓
【図１】
0004657841.tif 000002
【図２】
0004657841.tif 000003